(57)【特許請求の範囲】
【請求項１】
地上波放送信号受信用アンテナで受信された地上波放送信号、又は同軸ケーブルや光ケーブルを介して放送センターから送信される有線放送信号の何れか一方が入力される第１の入力端子を有する入力手段と、地上波放送信号を増幅する地上波放送信号増幅手段と、有線放送信号を増幅する有線放送信号増幅手段と、第１の入力端子と有線放送信号増幅手段とを接続する経路と、第１の入力端子と地上波放送信号増幅手段とを接続する経路とを切り替える第１の切替手段とを備え、入力手段は、衛星放送信号受信用アンテナで受信された衛星放送信号が入力される第２の入力端子を有し、衛星放送信号を増幅する衛星放送信号増幅手段と、増幅された地上波放送信号又は有線放送信号と増幅された衛星放送信号とを混合する混合手段と、第１の入力端子からの地上波放送信号又は有線放送信号と衛星放送信号とを分波する分波手段と、第２の入力端子と衛星放送信号増幅手段とを接続する経路と、分波手段と衛星放送信号増幅手段とを接続する経路とを切り替える第２の切替手段とを備えたことを特徴とするブースタ。
【請求項２】
前記各増幅手段に電源を供給する電源手段を備え、電源手段に送り配線用の送り端子を設けたことを特徴とする請求項１記載のブースタ。
【請求項３】
前記各増幅手段で増幅された信号を分配する分配手段と、分配手段から出力される各信号を複数の映像機器に供給する複数の出力端子を有する出力手段とを備えたことを特徴とする請求項１又は２に記載のブースタ。
【発明の詳細な説明】
【技術分野】
【０００１】
本発明は、地上波放送信号又はケーブルテレビ等の有線放送信号を増幅するブースタに関する。
【背景技術】
【０００２】
従来から、ＦＭ、ＶＨＦ、ＵＨＦ、ＢＳ−ＩＦ、ＣＳ−ＩＦ又はＣＡＴＶ等の信号を増幅するブースタが提供されている。また、近年、種々のマルチメディア関連機器の登場に伴って、これらマルチメディア関連機器とともに上記ブースタを内器として収納する所謂マルチメディアポートと呼ばれる情報盤が提供されており、このようなブースタが例えば特許文献１に開示されている。この情報盤は各住戸に設置され、例えば地上波放送を視聴する場合には、地上波放送用のブースタを情報盤内に収納して当該ブースタと住戸に設置された地上波放送用のアンテナとを同軸ケーブルで接続し、また、ケーブルテレビ等の有線放送を視聴する場合には、有線放送用のブースタを情報盤内に収納して当該ブースタとケーブルテレビ局から住戸内に引き込まれる同軸ケーブルとを接続することで各放送を視聴することができる。
【特許文献１】特開２０００−１３４１２２号公報
【発明の開示】
【発明が解決しようとする課題】
【０００３】
しかしながら、上記従来例では、地上波放送を視聴する場合には地上波放送用のブースタを、有線放送を視聴する場合には有線放送用のブースタを必要とすることから、例えば予め地上波放送用のブースタを情報盤に収納した住戸において有線放送の視聴に変更する場合には、地上波放送用のブースタを有線放送用のブースタに交換せねばならず、施工性及び利便性が劣るという問題があった。
【０００４】
本発明は、上記の点に鑑みて為されたもので、視聴する放送を変更する際の施工性及び利便性を向上することのできるブースタを提供することを目的とする。
【課題を解決するための手段】
【０００５】
請求項１の発明は、上記目的を達成するために、地上波放送信号受信用アンテナで受信された地上波放送信号、又は同軸ケーブルや光ケーブルを介して放送センターから送信される有線放送信号の何れか一方が入力される第１の入力端子を有する入力手段と、地上波放送信号を増幅する地上波放送信号増幅手段と、有線放送信号を増幅する有線放送信号増幅手段と、第１の入力端子と有線放送信号増幅手段とを接続する経路と、第１の入力端子と地上波放送信号増幅手段とを接続する経路とを切り替える第１の切替手段とを備え、入力手段は、衛星放送信号受信用アンテナで受信された衛星放送信号が入力される第２の入力端子を有し、衛星放送信号を増幅する衛星放送信号増幅手段と、増幅された地上波放送信号又は有線放送信号と増幅された衛星放送信号とを混合する混合手段と、第１の入力端子からの地上波放送信号又は有線放送信号と衛星放送信号とを分波する分波手段と、第２の入力端子と衛星放送信号増幅手段とを接続する経路と、分波手段と衛星放送信号増幅手段とを接続する経路とを切り替える第２の切替手段とを備えたことを特徴とする。
【０００８】
請求項２の発明は、請求項１の発明において、各増幅手段に電源を供給する電源手段を備え、電源手段に送り配線用の送り端子を設けたことを特徴とする。
【０００９】
請求項３の発明は、請求項１又は２の発明において、各増幅手段で増幅された信号を分配する分配手段と、分配手段から出力される各信号を複数の映像機器に供給する複数の出力端子を有する出力手段とを備えたことを特徴とする。
【発明の効果】
【００１０】
請求項１の発明によれば、地上波放送信号を増幅する増幅手段とケーブルテレビ等の有線放送信号を増幅する増幅手段とを適宜切換えることができるので、従来のように例えば地上波放送の視聴からケーブルテレビ等の有線放送の視聴に変更するといった場合にブースタを交換する必要が無く、したがって施工性及び利便性を向上することができる。また、衛星放送信号受信用アンテナで受信された衛星放送信号も増幅することができるので、ブースタを交換することなく地上波放送、ケーブルテレビ放送、衛星放送の各視聴を変更することができる。更に、同軸ケーブル又は光ケーブルを介して衛星放送信号が送信される場合でも衛星放送信号を増幅することができるので、ブースタを交換することなく地上波放送、ケーブルテレビ放送、衛星放送の各視聴を変更することができる。
【００１３】
請求項２の発明によれば、情報盤内に配設されたブースタ以外の内器との間で送り配線することができるので、内器毎に個別に配線する場合と比較して簡易な配線を実現することができる。
【００１４】
請求項３の発明によれば、分配手段を備えることで分配器を設ける必要が無く、したがってブースタと分配器とを接続する配線が不要となり簡易な配線を実現することができる。
【発明を実施するための最良の形態】
【００１５】
以下、本発明に係るブースタの実施形態について図面を用いて説明する。尚、以下の説明では、図２（ａ）における上下左右を上下左右方向、紙面手前側を前方向、紙面奥側を後方向と定めるものとする。本実施形態は、図１に示すように、住戸Ｅに設置された地上波放送信号受信用アンテナＡ１で受信された地上波放送信号、又は同軸ケーブルＣ１や光ケーブルＣ２を介して放送センターＦから送信されるケーブルテレビ等の有線放送信号の何れか一方が入力される第１の入力端子１０、及び衛星放送信号受信用アンテナＡ２で受信された衛星放送信号が入力される第２の入力端子１１を有する入力手段１と、地上波放送信号を増幅する地上波放送信号増幅手段２と、有線放送信号を増幅する有線放送信号増幅手段３と、衛星放送信号を増幅する衛星放送信号増幅手段４と、第１の入力端子１０と有線放送信号増幅手段３とを接続する経路と、第１の入力端子１０と地上波放送信号増幅手段２とを接続する経路とを切り替える第１の切替手段である地上波／有線切替スイッチ５とを筐体Ｂに備える。
【００１６】
第１の入力端子１０には分波手段４０が接続され、該分波手段４０によって第１の入力端子１０から入力された信号が地上波放送信号又は有線放送信号と、衛星放送信号とに分波される。分波された地上波放送信号又は有線放送信号は、地上波／有線切替スイッチ５を介して地上波放送信号増幅手段２又は有線放送信号増幅手段３に入力され、衛星放送信号は後述する衛星放送信号入力切替スイッチ６を介して衛星放送信号増幅手段４に入力される。
【００１７】
地上波放送信号増幅手段２は、周波数帯域がＦＭ帯（７６〜９０ＭＨｚ）及びＶＨＦＬ帯（９０〜１０８ＭＨｚ）の信号と他の周波数帯域の信号とに分波する第１の地上波分波手段２０と、ＦＭ帯及びＶＨＦＬ帯を除いた周波数帯域の信号を周波数帯域がＵＨＦ帯（４７０〜７７０ＭＨｚ）の信号とＶＨＦＨ帯（１７０〜２２２ＭＨｚ）の信号とに分波する第２の地上波分波手段２１と、ＦＭ帯及びＶＨＦＬ帯の信号を増幅するＦＭ／ＶＨＦＬ帯増幅手段２２と、ＶＨＦＨ帯の信号を増幅するＶＨＦＨ帯増幅手段２３と、ＵＨＦ帯の信号を増幅するＵＨＦ帯増幅手段２４と、ＦＭ／ＶＨＦＬ帯増幅手段２２及びＶＨＦＨ帯増幅手段２３の各出力信号を混合する第１の地上波混合手段２５と、第１の地上波混合手段２５の出力信号とＵＨＦ帯増幅手段２４の出力信号とを混合する第２の地上波混合手段２６とから成る。
【００１８】
有線放送信号増幅手段３は、入力手段１側に設けられて上り方向（住戸から放送局に向かう方向）の周波数帯域である上り帯（１０〜６０ＭＨｚ）の信号と下り方向（放送局から住戸に向かう方向）の周波数帯域である下り帯（７０〜７７０ＭＨｚ）の信号とを分波又は混合する第１の分波／混合手段３０と、上り帯の信号を増幅する上り帯増幅手段３１と、下り帯の信号を増幅する下り帯増幅手段３２と、出力手段９側に設けられて上り帯の信号と下り帯の信号とを分波又は混合する第２の分波／混合手段３３とから成る。ここで、有線放送信号増幅手段３は双方向通信に対応しているので、上り方向の有線放送信号は第２の分波／混合手段３３を介して上り帯増幅手段３１に入力され、増幅された後に第１の分波／混合手段３０を介して入力手段１側に出力される。また、下り方向の有線放送信号は第１の分波／混合手段３０を介して下り帯増幅手段３２に入力され、増幅された後に第２の分波／混合手段３３を介して出力手段９側に出力される。
【００１９】
衛星放送信号増幅手段４は、周波数帯域がＢＳ−ＩＦ帯並びに１１０度ＣＳ−ＩＦ帯（１０００〜２１５０ＭＨｚ）の信号を増幅するものであって、第１の入力端子１０又は第２の入力端子１１に入力された上記周波数帯域の衛星放送信号を増幅して混合手段４１に出力する。衛星放送信号増幅手段４の前段には、スライド式の２接点スイッチから成る第２の切替手段である衛星放送信号入力切替スイッチ６が設けられており、分波手段４０と接続された接点ｃと第２の入力端子１１と接続された接点ｄとを切り替えることができる。而して、第１の入力端子１０から地上波放送信号若しくは有線放送信号とともに衛星放送信号が入力される場合には、衛星放送信号入力切替スイッチ６を接点ｃ側に切り替え、第２の入力端子１１から衛星放送信号が入力される場合には、衛星放送信号入力切替スイッチ６を接点ｄ側に切り替えることで衛星放送信号を衛星放送信号増幅手段４で増幅させることができる。
【００２０】
上記各増幅手段で増幅された信号は、後段に設けられた混合手段４１で混合されて後述する分配手段８に入力される。ここで、地上波／有線切替スイッチ５は、分波手段４０と地上波放送信号増幅手段２及び有線放送信号増幅手段３との間、並びに混合手段４１と地上波放送信号増幅手段２及び有線放送信号増幅手段３との間にそれぞれ２接点を有するスライド式のスイッチであって、有線放送信号増幅手段３と接続された接点ａ，ａ’と、地上波放送信号増幅手段２と接続された接点ｂ，ｂ’とを切り替えることができる。而して、第１の入力端子１０から地上波放送信号が入力される場合には、地上波／有線切替スイッチ５を接点ｂ，ｂ’側に切り替え、第１の入力端子１０から有線放送信号が入力される場合には、地上波／有線切替スイッチ５を接点ａ，ａ’側に切り替えることで各信号に応じた増幅手段を用いて増幅することができる。
【００２１】
混合手段４０から出力される信号は、分配手段８によって複数（図示では８つ）に分配されて出力手段９の複数（図示では８つ）の出力端子９０に入力される。分配手段８と各出力端子９０との間には、それぞれ単方向通信及び双方向通信を切り替えるスライド式の方向切替スイッチ９１が設けられており、下り方向の信号のみを受信する機器を出力端子９０に接続する場合には単方向側に切り替え、双方向通信を行う機器を出力端子９０に接続する場合には双方向側に切り替えることができる。
【００２２】
筐体Ｂには、上記増幅手段に電源を供給する電源手段７が設けられている。電源手段７には、外部の交流電源（図示せず）と接続するための電源用端子７０が設けられており、該電源用端子７０を介して供給される交流電圧を用いて各手段の動作電圧を作成する。また、電源用端子７０には、送り配線用の送り端子７１が並列に接続されている。このため、情報盤Ｄ内に配設された本実施形態以外の内器との間で送り配線することができるので、内器毎に個別に配線する場合と比較して簡易な配線を実現することができる。
【００２３】
上記各手段は、図２（ａ），（ｂ）に示すように、例えばアルミダイカスト製の筐体Ｂに収納される。筐体Ｂは、上下方向に伸びる略直方体状の主部Ｂ１と、主部Ｂ１の後面に設けられて上下方向にそれぞれ突出する略平板状のフランジ部Ｂ２とを備え、これらフランジ部Ｂ２の各左右両端には筐体Ｂを情報盤Ｄ内に取り付けるための取付孔Ｂ３が穿設されている。主部Ｂ１の前面中央左側には、ＶＨＦＬ帯及びＶＨＦＨ帯及びＵＨＦ帯の各信号の利得を調整する３つの利得調整ボリュームＶｏｌ１〜Ｖｏｌ３が設けられている。これら利得調整ボリュームＶｏｌ１〜Ｖｏｌ３の下側には、各信号を減衰させるか否かを切り替えるスライドアッテネータＳＷ１〜ＳＷ３が３つ設けられており、これらスライドアッテネータＳＷ１〜ＳＷ３の下側には、ＦＭ帯の信号を増幅するか遮断するかを切り替えるスライド式のＦＭ切替スイッチＳＷ４及びＶＨＦＬ帯、ＶＨＦＨ帯、ＵＨＦ帯の各信号を増幅するか否かを切り替えるスライド式のＵ／Ｖ切替スイッチＳＷ５が設けられている。
【００２４】
主部Ｂ１の前面中央には、有線放送信号の上り帯の信号の利得を調整する利得調整ボリュームＶｏｌ４と、単方向通信及び双方向通信を切り替えるスライド式の上り切替スイッチＳＷ６とが設けられている。これら利得調整ボリュームＶｏｌ４及び上り切替スイッチＳＷ６の下側には、有線放送信号の下り帯の信号の利得を調整する利得調整ボリュームＶｏｌ５と、下り帯の信号を減衰させるか否かを切り替えるスライドアッテネータＳＷ７と、下り帯の信号において高周波数帯域と低周波数帯域との利得を調整するか否かを切り替えるスライド式のチルト切替スイッチＳＷ８が設けられている。
【００２５】
主部Ｂ１の前面中央右側には、衛星放送信号の利得を調整する利得調整ボリュームＶｏｌ６と、衛星放送信号受信用アンテナＡ２のコンバータ部（図示せず）に電源を供給するか否かを切り替えるスライド式のコンバータ電源スイッチＳＷ９とが設けられている。これら利得調整ボリュームＶｏｌ６及びコンバータ電源スイッチＳＷ９の下側には、上述の地上波／有線切替スイッチ５と、衛星放送信号入力切替スイッチ６とが設けられている。
【００２６】
主部Ｂ１の上端部には、前面側よりも１段後方向に下がった段部Ｂ４が形成されており、当該段部Ｂ４と主部Ｂ１の上側面には出力端子９０が各列４個ずつ２段に配列されている。また、主部Ｂ１の前面上側には、各出力端子９０に対応した上述の方向切替スイッチ９１が設けられている。主部Ｂ１の下端部には、前面側よりも１段後方向に下がった段部Ｂ５が形成されており、当該段部Ｂ５の前面左側には、本実施形態の電源のオン／オフを切り替えるロッカー式の電源スイッチＳＷ１０が設けられている。主部Ｂ１の下側面右側には、上述の第１の入力端子１０及び第２の入力端子１１が設けられており、段部Ｂ５の下側面には、上述の電源用端子７０と送り端子７１とが設けられている。
【００２７】
本実施形態は、図３に示すように、利用者の各住戸Ｅ内に設置されて映像用機器（図示せず）や通信用機器（図示せず）等の内器を収納する情報盤Ｄ内に収納され、住戸Ｅに地上波放送信号受信用アンテナＡ１及び衛星放送信号受信用アンテナＡ２が設置されている場合には、第１の入力端子１０と地上波放送信号受信用アンテナＡ１とを接続するとともに、第２の入力端子１１と衛星放送信号受信用アンテナＡ２とを接続し、地上波／有線切替スイッチ５を地上波側（接点ｂ，ｂ’側）に切り替えることで地上波放送と衛星放送とを視聴することができる。尚、地上波放送信号と衛星放送信号とが混合伝送されている場合には、地上波放送信号受信用アンテナＡ１と衛星放送信号受信用アンテナＡ２とを第１の入力端子１０に接続するとともに、衛星放送信号入力切替スイッチ６を接点ｃ側に切り替えればよい。
【００２８】
また、ケーブルテレビ等の有線放送サービスに加入している場合には、放送センターＦから住戸Ｅ内に引き込まれる同軸ケーブルＣ１と第１の入力端子１０とを接続するとともに、第２の入力端子１１と衛星放送信号受信用アンテナＡ２とを接続し、地上波／有線切替スイッチ５を有線側（接点ａ，ａ’側）に切り替えることで、有線放送と衛星放送とを視聴することができる。
【００２９】
尚、有線放送信号に衛星放送信号が含まれる場合には、第２の入力端子１１と衛星放送信号受信用アンテナＡ２とを接続する必要は無く、衛星放送信号入力切替スイッチ６を衛星放送信号増幅手段４と分波手段４０とを接続する経路側（接点ｃ側）に切り替えればよい。また、放送センターＦから住戸Ｅ内に光ケーブルＣ２を引き込むＦＴＴＨ方式の場合には、映像用回線終端装置（Ｖ−ＯＮＵ）Ｇを住戸Ｅ内に配設し、当該映像用回線終端装置Ｇによって住戸Ｅ内に引き込まれた光ケーブルＣ２を同軸ケーブルＣ１に変換することで第１の入力端子１０に接続すればよい。
【００３０】
上述のように、本実施形態は、地上波放送信号を増幅する地上波放送信号増幅手段２と、ケーブルテレビ等の有線放送信号を増幅する有線放送信号増幅手段３とを備え、各増幅手段と入力手段１との接続経路を地上波／有線切替スイッチ５によって適宜切り替えることができるので、従来のように例えば地上波放送の視聴からケーブルテレビ等の有線放送の視聴に変更するといった場合にブースタを交換する必要が無く、したがって施工性及び利便性を向上することができる。また、衛星放送信号が衛星放送信号受信用アンテナで受信される場合、及び同軸ケーブルＣ１又は光ケーブルＣ２を介して送信される場合の何れでも衛星放送信号を増幅することができるので、ブースタを交換することなく地上波放送、ケーブルテレビ放送、衛星放送の各視聴を変更することができる。
【００３１】
尚、本実施形態では分配手段８が筐体Ｂに内蔵されているが、例えば図４に示すように、分配手段８及び出力手段９を筐体Ｂから分離して分配器Ｈを別途設けても構わない。本実施形態のように分配手段８を筐体Ｂに内蔵した場合には、分配器Ｈを設ける必要が無く、したがって本実施形態と分配器Ｈとを接続する配線が不要となり簡易な配線を実現することができる。一方、別途分配器Ｈを設けた場合には、分配器Ｈを交換することで増幅信号を分配する数を適宜変更することができる。
【図面の簡単な説明】
【００３２】
【図１】本発明に係るブースタの実施形態を示すブロック図である。
【図２】同上の外観を示す図で、（ａ）は前面図で、（ｂ）は側面図である。
【図３】同上が設けられた住戸の概略図である。
【図４】同上の分配手段を分離した場合を示すブロック図である。
【符号の説明】
【００３３】
１  入力手段
１０  第１の入力端子
２  地上波放送信号増幅手段
３  有線放送信号増幅手段
５  地上波／有線切替スイッチ（第１の切替手段）
Ａ１  地上波放送信号受信用アンテナ
Ｃ１  同軸ケーブル
Ｃ２  光ケーブル
Ｆ  放送センター
【図１】
0004775393.tif 000002
【図２】
0004775393.tif 000003
【図３】
0004775393.tif 000004
【図４】
0004775393.tif 000005